(57)【要約】      （修正有）【課題】テープの切断を容易、安全且つ確実に行うことができるテープカッターを提供する。【解決手段】テープ支持部１８に形成された収容空間１８ａに着脱可能に装着される切断カートリッジ２０を備える。切断カートリッジ２０は、ケーシング２２と、ケーシング２２内で上下動可能に案内され、上部に粘着テープ１４ａとの係合部２４１を有する昇降部材２４と、上部に設けられた刃部が昇降部材２４よりも上方に突出した状態で待機位置と切断位置との間で回動可能となるようにケーシング２２内に支持され、係合部２４１に係合した粘着テープ１４ａの引き下げにより下降する昇降部材２４と係合して待機位置から切断位置に向けて回動する切断部材２６と、切断位置にある切断部材２６を待機位置に向けて付勢する付勢部材とを備える。【選択図】図１
0003189212.tif 000002
【実用新案登録請求の範囲】
【請求項１】
粘着テープのロールを繰り出し可能に保持するロール保持部、および、繰り出された粘着テープを支持するテープ支持部を備えるテープカッター本体と、
前記テープ支持部に形成された収容空間に着脱可能に装着される切断カートリッジとを備えるテープカッターであって、
前記切断カートリッジは、
ケーシングと、
前記ケーシング内で上下動可能に案内され、上部に粘着テープとの係合部を有する昇降部材と、
上部に設けられた刃部が前記昇降部材よりも上方に突出した状態で待機位置と切断位置との間で回動可能となるように前記ケーシング内に支持され、前記係合部に係合した粘着テープの引き下げにより下降する前記昇降部材と係合して、前記待機位置から前記切断位置に向けて回動する切断部材と、
前記切断位置にある前記切断部材を前記待機位置に向けて付勢する付勢部材とを備えるテープカッター。
【請求項２】
前記切断部材は、前記刃部が、回動中心から延びるホルダ部に対して切断方向に屈曲する請求項１に記載のテープカッター。
【請求項３】
前記テープカッター本体の底部の底面中央に、粘着性のマットが設けられた請求項１または２に記載のテープカッター。
【請求項４】
粘着テープのロールを繰り出し可能に保持するロール保持部、および、繰り出された粘着テープを支持するテープ支持部を備えるテープカッター本体において、前記テープ支持部に形成された収容空間に着脱可能に装着されることによりテープカッターを構成する切断カートリッジであって、
ケーシングと、
前記ケーシング内で上下動可能に案内され、上部に粘着テープとの係合部を有する昇降部材と、
上部に設けられた刃部が前記昇降部材よりも上方に突出した状態で待機位置と切断位置との間で回動可能となるように前記ケーシング内に支持され、前記係合部に係合した粘着テープの引き下げにより下降する前記昇降部材と係合して、前記待機位置から前記切断位置に向けて回動する切断部材と、
前記切断位置にある前記切断部材を前記待機位置に向けて付勢する付勢部材とを備える切断カートリッジ。
【考案の詳細な説明】
【技術分野】
【０００１】
本考案は、テープカッターおよび切断カートリッジに関する。
【背景技術】
【０００２】
従来のテープカッターとして、例えば特許文献１に開示された構成が知られている。図８に示すように、このテープカッター５０は、粘着テープのロール５１の繰り出し部分５１ａと係合する移動体５２を備えており、繰り出し部分５１ａが移動体５２を押圧することにより移動体５２が下降し、これによって刃体５３が回動して繰り出し部分５１ａを切断するように構成されている。
【先行技術文献】
【特許文献】
【０００３】
【特許文献１】特開２００６−２８９５５０号公報
【考案の概要】
【考案が解決しようとする課題】
【０００４】
ところが、上記従来のテープカッターは、移動体５２よりも外方に繰り出したロール５１の繰り出し部分５１ａを引き下げる際に、移動体５２がスムーズに下降せず刃体５３の回動が不安定になるおそれがあり、刃体５３が繰り出し部分５１ａの側方に引っ掛かって粘着テープをきれいに切断できないという問題があった。
【０００５】
そこで、本考案は、粘着テープの切断を容易、安全且つ確実に行うことができるテープカッターおよび切断カートリッジの提供を目的とする。
【課題を解決するための手段】
【０００６】
本考案の前記目的は、粘着テープのロールを繰り出し可能に保持するロール保持部、および、繰り出された粘着テープを支持するテープ支持部を備えるテープカッター本体と、前記テープ支持部に形成された収容空間に着脱可能に装着される切断カートリッジとを備えるテープカッターであって、前記切断カートリッジは、ケーシングと、前記ケーシング内で上下動可能に案内され、上部に粘着テープとの係合部を有する昇降部材と、上部に設けられた刃部が前記昇降部材よりも上方に突出した状態で待機位置と切断位置との間で回動可能となるように前記ケーシング内に支持され、前記係合部に係合した粘着テープの引き下げにより下降する前記昇降部材と係合して、前記待機位置から前記切断位置に向けて回動する切断部材と、前記切断位置にある前記切断部材を前記待機位置に向けて付勢する付勢部材とを備えるテープカッターにより達成される。
【０００７】
このテープカッターにおいて、前記切断部材は、前記刃部が、回動中心から延びるホルダ部に対して切断方向に屈曲することが好ましい。また、前記テープカッター本体の底面中央に、粘着性のマットが設けられていることが好ましい。
【０００８】
また、本考案の前記目的は、粘着テープのロールを繰り出し可能に保持するロール保持部、および、繰り出された粘着テープを支持するテープ支持部を備えるテープカッター本体において、前記テープ支持部に形成された収容空間に着脱可能に装着されることによりテープカッターを構成する切断カートリッジであって、ケーシングと、前記ケーシング内で上下動可能に案内され、上部に粘着テープとの係合部を有する昇降部材と、上部に設けられた刃部が前記昇降部材よりも上方に突出した状態で待機位置と切断位置との間で回動可能となるように前記ケーシング内に支持され、前記係合部に係合した粘着テープの引き下げにより下降する前記昇降部材と係合して、前記待機位置から前記切断位置に向けて回動する切断部材と、前記切断位置にある前記切断部材を前記待機位置に向けて付勢する付勢部材とを備える切断カートリッジにより達成される。
【考案の効果】
【０００９】
本考案によれば、粘着テープの切断を容易、安全且つ確実に行うことができるテープカッターおよび切断カートリッジを提供することができる。
【図面の簡単な説明】
【００１０】
【図１】本考案の一実施形態に係るテープカッターの斜視図である。
【図２】図１に示すテープカッターの底面図である。
【図３】図１に示すテープカッターが備える切断カートリッジの斜視図である。
【図４】図３に示す切断カートリッジの側面図である。
【図５】図３に示す切断カートリッジがテープカッター本体に装着された状態を示す概略断面図である。
【図６】図３に示す切断カートリッジの分解斜視図である。
【図７】図３に示す切断カートリッジの作動を説明するための平面図である。
【図８】従来のテープカッターの斜視図である。
【考案を実施するための形態】
【００１１】
以下、本考案の一実施形態について添付図面を参照しつつ説明する。図１は、本考案の一実施形態に係るテープカッターの斜視図であり、図２は、このテープカッターの底面図である。図１および図２に示すように、テープカッター１は、テープカッター本体１０と、切断カートリッジ２０とを備えて構成されている。
【００１２】
テープカッター本体１０は、リール状に形成され粘着テープのロール１４を繰り出し可能に保持するロール保持部１２と、ロール保持部１２から繰り出された粘着テープ１４ａを支持するテープ支持部１８とを備えており、下部に底部１１が設けられている。テープ支持部１８は、切断カートリッジ２０を収容する収容空間１８ａが形成されており、収容空間１８ａの上部開口１８ａから切断カートリッジ２０の上部が突出するように、切断カートリッジ２０を保持する。収容空間１８ａは下部開口１８ｃを備えており、後述するように、下部開口１８ｃを介して切断カートリッジ２０の下部側を操作して、切断カートリッジ２０を収容空間１８ａに着脱することができる。
【００１３】
底部１１の底面１９には、中央に貼着された粘着性のマット１６と、マット１６を挟むようにして前後両端側に装着された滑り止め部材１７，１７とが設けられている。マット１６は、ウレタンエラストマー等から形成することができ、例えば耐震マットとして公知のものを好適に使用することができる。滑り止め部材１７は、合成ゴム、天然ゴムまたはプラスチック等からなり、テーブル等の設置面との接触面が微細な凹凸状に形成されている。テープカッター１を設置面に確実に保持するものとして、底面１９中央にマット１６を設ける代わりに、底部１１の内部に錘部材を着脱自在に取り付けてもよい。
【００１４】
図３及び図４は、それぞれ切断カートリッジ２０の斜視図および側面図である。切断カートリッジ２０は、ケーシング２２内に昇降部材２４および切断部材２６を備えている。昇降部材２４は、ロール１４から繰り出された粘着テープの繰り出し部１４ａ（図１参照）と係合する凹凸状の係合部２４１を備えており、係合部２４１において繰り出し部１４ａを支持することができる。切断部材２６は、ケーシング２２内で回動可能に支持されており、係合部２４１よりも上方に突出する上端に保護カバー２６１が設けられている。ケーシング２２の後面側（図１に示すロール保持部１２側）には、湾曲板バネ状に形成された係止片２２１と、係止片２２１に設けられた係合突起２２２とが設けられている。
【００１５】
図５は、切断カートリッジ２０がテープカッター本体１０に装着された状態を示す概略断面図である。切断カートリッジ２０は、ケーシング２２に設けられた係止片２２１の係合突起２２２が、テープカッター本体１０の下部に設けられた段部１０ａに係合することでテープ支持部１８の収容空間１８ａに装着されており、下部開口１８ｃを介して係止片２２１をケーシング２２側に撓み変形させることにより、係合突起２２２と段部１０ａとの係合が解除され、切断カートリッジ２０を下部開口１８ｃから下方に抜き取ることができる。
【００１６】
図６は、切断カートリッジ２０の分解斜視図である。切断カートリッジ２０は、ケーシング本体２２３に、昇降部材２４、切断部材２６および付勢部材（図示せず）を収容した状態で、蓋板２２４により覆うことで構成されている。昇降部材２４は、支持板２４２の下端部に押圧部２４２ａを備えると共に、支持板２４２の表面に係合板２４３を備えている。また、切断部材２６は、取付孔２６２ａが形成されたホルダ部２６２と、ホルダ部２６２の表面に設けられた受部２６４と、ホルダ部２６２の先端側に取り付けられた刃部２６３とを備えており、刃部２６３の先端に保護カバー２６１が取り付けられている。切断部材２６は、刃部２６３の上部が昇降部材２４の上部から突出し、昇降部材２４の押圧部２４２ａが受部２６４と係合可能となる状態で、ケーシング本体２２３の嵌合突起２２３ａに、取付孔２６２ａが回動可能に嵌着される。蓋板２２４の内面側には、昇降部材２４の係合板２４３の両側縁部と係合するガイド突起２２５，２２５が設けられており、ガイド突起２２５，２２５間に係合板２４３が配置されるように、蓋板２２４の嵌合受部２２４ａ，２２４ａがケーシング本体２２３の嵌合突起２２３ａ，２２３ａに嵌合することで、切断カートリッジ２０が構成される。ホルダ部２６２の下端には、コイルばね等の付勢部材と結合されるフック状の結合部２６２ｂが設けられている。
【００１７】
上記の構成を備えるテープカッター１は、図１に示すように、ロール保持部１２に保持された粘着テープのロール１４から、テープ支持部１８に向けて粘着テープ１４ａを繰り出して係合部２４１よりも外方に延出させた後、この延出部分を引き下げることにより、昇降部材２４が下降し、これに伴って切断部材２６が回動して粘着テープ１４ａを切断することができる。すなわち、図７（ａ）に示すように、切断部材２６が待機位置にある状態から、粘着テープ１４ａの引き下げにより昇降部材２４を下降させると、昇降部材２４の係合板２４３は、ガイド突起２２５，２２５（図６参照）に沿って下方に案内され、昇降部材２４の押圧部２４２ａが切断部材２６の受部２６４を押圧する。これにより、切断部材２６は、図７（ｂ）に示すように切断位置に向けて回動し、粘着テープ１４ａを切断する。
【００１８】
付勢部材２８は、一端側が嵌合突起２２３ａに結合される一方、他端側が切断部材２６の結合部２６２ｂに結合されており、待機位置から切断位置への切断部材２６の回動により伸長して、切断位置から待機位置に向けた付勢力を生じさせる。したがって、粘着テープ１４ａの切断により、切断部材２６は再び図７（ａ）に示す待機位置に戻り、昇降部材２４は係合部２４１に粘着テープ１４ａの端部が係合した状態で上昇する。
【００１９】
以上のように、本考案のテープカッター１によれば、切断カートリッジ２０が、テープカッター本体１０に着脱可能に装着されるため、粘着テープを切断する機構のコンパクト化を図ることができ、昇降部材２４の昇降に伴う切断部材２６の回動動作を確実に行うことができる。
【００２０】
切断部材２６は、図７（ａ）に示すように、回動中心となる嵌合突起２２３ａから延びるホルダ部２６２に対して、刃部２６３が切断方向に屈曲するように構成されていることが好ましく、これによって、粘着テープ１４ａの側縁に対して刃部２６３を斜め上方から切り込むことができ、粘着テープ１４ａの切断を容易にすることができる。
【００２１】
また、テープカッター本体１０の底部１１の底面１９に粘着性のマット１６を設けることにより、テープカッター本体１０を軽量化しても、テープカッター本体１０を設置面に確実に保持することができるので、粘着テープ１４ａの切断時の引き下げによりテープカッター本体１０が浮くおそれがなく、粘着テープ１４ａを確実に切断することができる。マット１６は、底面１９中央に貼着されることが好ましく、これによって、テープカッター１を移動させる際、テープカッター本体１０を設置面に対して捩じることにより、マット１６を設置面から容易に剥がすことができる。
【符号の説明】
【００２２】
１  テープカッター
１０  テープカッター本体
１１  底部
１２  ロール保持部
１４  粘着テープのロール
１４ａ  粘着テープの繰り出し部
１６  マット
１８  テープ支持部
１８ａ  収容空間
１９  底面
２０  切断カートリッジ
２２  ケーシング
２４  昇降部材
２４１  係合部
２６  切断部材
２６１  ホルダ部
２６２  刃部
２８  付勢部材
【図１】
0003189212.tif 000003
【図２】
0003189212.tif 000004
【図３】
0003189212.tif 000005
【図４】
0003189212.tif 000006
【図５】
0003189212.tif 000007
【図６】
0003189212.tif 000008
【図７】
0003189212.tif 000009
【図８】
0003189212.tif 000010